(57)【要約】【課題】出隅、縦目地等、外壁パネルの接合部にカバー部材を作業性よく、かつ、見栄えよく取付けることができるサイディング用役物を提供する。【解決手段】役物Ａは、躯体側に被着される取付けベース２と、この取付けベース２を覆うように取付けられるカバー部材１とからなり、所定形状に形成された上記取付けベース２には、その略中央部に相対向し、かつ、連結リブ２１１で連結され、この連結リブ２１１のカバー部材側に複数個の係止リブ２１２、２１３を対設した一対の係止片２１が突設されるとともに、上記カバー部材１の背面側には、上記一対の係止片２１に内嵌される嵌挿部１１が突設され、この嵌挿部１１は先端を係止用爪部１１３とし、かつ、基部１１１を介して２本に分岐した脚部１１２を有することを特徴とする。【選択図】図３
2005207155.tif 000002
【特許請求の範囲】
【請求項１】
サイディングの施工に用いられる役物であって、該役物は、躯体側に被着される取付けベースと、この取付けベースを覆うように取付けられるカバー部材とからなり、所定形状に形成された上記取付けベースには、その略中央部に相対向し、かつ、連結リブで連結され、この連結リブのカバー部材側に複数個の係止リブを対設した一対の係止片が突設されるとともに、上記カバー部材の背面側には、上記一対の係止片に内嵌される嵌挿部が突設され、この嵌挿部は先端を係止用爪部とし、かつ、基部を介して２本に分岐した脚部を有することを特徴とするサイディング用役物。
【請求項２】
上記カバー部材が化粧カバーとこの化粧カバーが装着される化粧カバー装着部とからなるとともに、この化粧カバー装着部に上記嵌挿部が突設された請求項１に記載のサイディング用役物。
【請求項３】
上記取付けベースが出隅に対応する形状を有するとともに、上記カバー部材も出隅に対応する形状を有する請求項１に記載のサイディング用役物。
【請求項４】
上記取付けベースが縦目地に対応する形状を有するとともに、上記カバー部材が化粧ジョイナとされた請求項１に記載のサイディング用役物。
【請求項５】
上記サイディングが金属サイディングであるとともに、上記役物が金属サイディングと同質の金属からなる請求項１に記載のサイディング用役物。
【発明の詳細な説明】
【技術分野】
【０００１】
本発明は、サイディング用役物に関する。さらに詳しくは、金属サイディング等、建物の外壁パネルの隣り合う目地、出隅、入り隅等をカバーするサイディング用役物に関する。
【背景技術】
【０００２】
従来、金属サイディング、窯業系サイディング等、外壁パネルの隣り合う目地、出隅、入り隅等の接合部をカバーする外壁パネル用の役物については、種々の先行技術が知られている。
【特許文献１】特開平４−３２７６４８号公報（第１−３頁、第１図、第８図）
【特許文献２】特開２０００−２８２６７３号公報（第１−４頁、第１図、第３図、第６図）
【特許文献３】特開平１０−２６６５２１号公報（第１−３頁、第２図、第４図）
【発明の開示】
【発明が解決しようとする課題】
【０００３】
上記した先行技術の一例としては、本願図５に示すように、出隅に被着される取付けベース４と、この取付けベース４に取付けられるカバー部材３とからなるサイディング用役物Ｂが知られ、該取付けベース４にはその外面角部を挟んで相対向する一対の係止片４１が出隅の高さ方向に沿って立設され、該カバー部材３の背面側には、上記係止片４１に嵌挿される一対の係止突起３１が内設されている。これら、各係止突起３１の外面と、上記係止片４１の内面の係合面にはそれぞれ平面視鋸歯状の刻みが条設され、一旦上記係止突起３１、３１が２つの係止片４１の間に嵌挿されると容易には抜けない構造となっている。上記の構成とすることによって、カバー部材３の両カバー部３２が外壁パネルＰ２、Ｐ２の端部をしっかりと覆い、見栄えよく出隅を納めることができる。なお、符号５２は、雨水等浸入防止用の水密パッキンである。
【０００４】
しかしながら、上記公知のサイディング用役物Ｂにおいては、カバー部材３の表側角部を叩き込んで該カバー部材３を取付けベース４に取付ける際、カバー部材３に内設された２本の係止突起３１にこの叩き込む力が分散するため、大きな力を要するという問題がある。さらに、力が均等にかからず、どちらかに偏ると２本の係止突起３１を係止片４１の間にまっすぐに嵌挿することができないで、カバー部材３が歪んで取付けられるという問題もある。そこで、本発明は、上記問題を解決して、出隅、縦目地等、外壁パネルの接合部にカバー部材を作業性よく、かつ、見栄えよく取付けることができるサイディング用役物を提供することを、その課題とする。
【課題を解決するための手段】
【０００５】
上記課題を解決するために、本発明においては、つぎのような技術的手段を講じている。すなわち、本発明によれば、サイディングの施工に用いられる役物であって、該役物は、躯体側に被着される取付けベースと、この取付けベースを覆うように取付けられるカバー部材とからなり、所定形状に形成された上記取付けベースには、その略中央部に相対向し、かつ、連結リブで連結され、この連結リブのカバー部材側に複数個の係止リブを対設した一対の係止片が突設されるとともに、上記カバー部材の背面側には、上記一対の係止片に内嵌される嵌挿部が突設され、この嵌挿部は先端を係止用爪部とし、かつ、基部を介して２本に分岐した脚部を有することを特徴とするサイディング用役物が提供される。
【０００６】
上記カバー部材が化粧カバーとこの化粧カバーを装着する化粧カバー装着部とからなるとともに、この化粧カバー装着部に上記嵌挿部が突設されることが好ましい。このとき、上記化粧カバー装着部に突設された嵌挿部を上記取付けベースの係止片に内嵌した後、化粧カバーの端部に形成された係止端部を化粧カバー装着部の被係止端に係止させ一体化することにより、取付けベースをカバー部材によって覆うことができる。
【０００７】
上記取付けベースが出隅に対応する形状を有するとともに、上記カバー部材も出隅に対応する形状を有する。このとき、上記取付けベースには、その外側角部を挟んで相対向するように一対の係止片が突設され、上記カバー部材の背面側には、上記一対の係止片に内嵌する嵌挿部が突設される。
【０００８】
上記取付けベースが縦目地に対応する形状を有するとともに、上記カバー部材が化粧ジョイナとされる。このとき、上記取付けベースには、その中央部に相対向するように一対の係止片が突設され、上記化粧ジョイナの背面側には、上記一対の係止片に内嵌する嵌挿部が突設される。
【０００９】
上記サイディングが金属サイディングであるとともに、上記役物が金属サイディングと同質の金属からなることが好ましい。上記金属としては、アルミニウム、ステンレススティール、鋼板等があげられ、通常これら金属に各種のデザインを施されて用いられる。
【発明の効果】
【００１０】
請求項１に記載の発明は上記のとおりであり、とくに、取付けベースを覆うように取付けられるカバー部材の背面側には、上記取付けベースに設けられた一対の係止片に内嵌される嵌挿部が突設され、この嵌挿部は基部を介して２本に分岐した脚部を有することにより、上記カバー部材の表側を叩き込んで上記嵌挿部を一対の係止片に嵌挿する際、力が２本に分岐した脚部の先端の係止用爪部まで集中して伝わるため、容易に上記係止片に内嵌することができる。
【００１１】
上記カバー部材が化粧カバーとこの化粧カバーが装着される化粧カバー装着部とから構成することにより、化粧カバーのみの着脱が可能となるため、保守やリフォームを容易に行うことができる。
【００１２】
上記取付けベースが出隅に対応する形状を有するとともに、上記カバー部材も出隅に対応する形状を有しているため、出隅における外壁パネルの突き合わせ部を意匠性よくカバーすることができる。
【００１３】
上記取付けベースが縦目地に対応する形状を有するとともに、上記カバー部材が化粧ジョイナとされているため、外壁パネルの長手方向の接合部を意匠性よく接合することができる。
【００１４】
上記サイディングが金属サイディングであるとともに、上記役物を金属サイディングと同質の金属、例えばアルミニウムから構成することにより、出隅や縦目地が違和感なく納められ、整合性の取れた外観とすることができる。
【発明を実施するための最良の形態】
【００１５】
以下、本発明の実施形態のうち、本発明にかかるサイディング用役物を出隅に適用した場合について図面を参照して、詳細に説明する。図１は、出隅に適用される本発明にかかるサイディング用役物Ａを示す平面図である。図１からよくわかるように、上記サイディング用役物Ａは、カバー部材１と取付けベース２とからなり、カバー部材１の背面側には、嵌挿部１１が突設され、取付けベース２には、その外側角部を挟んで相対向する一対の係止片２１が突設されている。
【００１６】
上記係止片２１、２１は略中央部で連結リブ２１１でしっかりと連結されて係止凹部２２を形成し、この係止凹部２２に上記嵌挿部１１が内嵌する。また、係止凹部２２内の連結リブ２１１よりカバー部材側には第１係止リブ２１２、第２係止リブ２１３が対設されている。一方、上記嵌挿部１１は、基部１１１を介して２本に分岐した脚部１１２を有し、脚部１１２の先端は、上記係止凹部２２内に対設された第２係止部２１３と係止するように係止用爪部１１３とされている。さらに、カバー部材１の端部カバー部１２、１２の裏面には水密用のパッキン５１、５１が設けられている。
【００１７】
図２は、嵌挿部１１の２本の脚部１１２の先端係止用爪部１１３、１１３を取付けベース２の第１係止リブ２１２、２１２間に挿入し、カバー部材１を上記取付けベース２に取付けようとする状態を示す部分平断面図である。図３は、カバー部材１の嵌挿部１１を上記係止凹部２２に内嵌し、脚部１１２の係止用爪部１１３を第２係止リブ２１３に係止させた状態を示す部分平断面図である。
【００１８】
図２、図３からよくわかるように、出隅における金属サイディングＰ１、Ｐ１の突き合わせ部は、カバー部材１の端部カバー部１２によって、その裏面に設けられた水密パッキン５１を介してカバーされる。かくして、上記出隅は、雨水等の浸入を防いで同質の役物により整合性よく納められ、見栄えのよい外観とすることができる。
【００１９】
図４は、カバー部材１を化粧カバー装着部１０と化粧カバー１０１とから構成した形態を示す部分平断面図である。本形態においても、図２、図３と同様にして化粧カバー装着部１０に突設された嵌挿部１１を取付けベース２の係止凹部２２に内嵌し、その後、化粧カバー１０１の端部を折り返して形成された係止端部１０２を化粧カバー装着部１０の被係止端１０３に係止させる。このようにすることによって、化粧カバー１０１が化粧カバー装着部１０に着脱自在に取付けられるため、化粧カバー１０１の保守やリフォームを簡単に行うことができる。
【００２０】
なお、本発明にかかるサイディング用役物を縦目地に適用した場合についての図示は省略しているが、図１、図２、図３、図４に示したサイディング用役物を出隅に適用した場合と同一の構成により縦目地も同質の役物により違和感なく接合され、見栄えのよい外観とすることができる。
【図面の簡単な説明】
【００２１】
【図１】出隅に適用される本発明にかかるサイディング用役物を示す平面図である。
【図２】出隅に適用した本発明にかかるカバー部材を取付けベースに取付けようとする状態を示す部分平断面図である。
【図３】出隅に適用した本発明にかかるカバー部材を取付けベースに取付けた状態を示す部分平断面図である。
【図４】カバー部材を化粧カバー装着部と化粧カバーとから構成した本発明にかかるサイディング用役物を出隅に適用した状態を示す部分平断面図である。
【図５】公知のサイディング用役物を示す部分平断面図である。
【符号の説明】
【００２２】
Ａ          出隅に適用される本発明にかかるサイディング用役物
１          カバー部材
１０        化粧カバー装着部
１０１      化粧カバー
１０２      係止端部
１０３      被係止端
１１        嵌挿部
１１１      基部
１１２      脚部
１１３      係止用爪部
１２        端部カバー部
２          取付けベース
２１        係止片
２１１      連結リブ
２１２      第１係止リブ
２１３      第２係止リブ
２２        係止凹部
５１        水密用パッキン
Ｐ１        金属サイディング
Ｂ          公知のサイディング用役物
３          カバー部材
３１        係止突起
３２        カバー部
４          取付けベース
４１        係止片
５２        水密用パッキン
Ｐ２        外壁パネル
【図１】
2005207155.tif 000003
【図２】
2005207155.tif 000004
【図３】
2005207155.tif 000005
【図４】
2005207155.tif 000006
【図５】
2005207155.tif 000007